(57)【特許請求の範囲】
【請求項１】
インクジェット法を用いて吐出される昇華転写用インクであって、
水と、
昇華性染料と、
トレハロース類とを含み、
沸点が２００℃以上の溶剤の含有率が４．０質量％以下であることを特徴とする昇華転写用インク。
【請求項２】
昇華転写用インクは、前記トレハロース類としてトレハロースを含むものである請求項１に記載の昇華転写用インク。
【請求項３】
昇華転写用インク中における前記トレハロース類の含有率が、３質量％以上２０質量％以下である請求項１または２に記載の昇華転写用インク。
【請求項４】
プロピレングリコールをさらに含むものである請求項１ないし３のいずれか一項に記載の昇華転写用インク。
【請求項５】
昇華転写用インク中における前記プロピレングリコールの含有率が、０．１質量％以上１０質量％以下である請求項４に記載の昇華転写用インク。
【請求項６】
インクジェット法を用いて、請求項１ないし５のいずれか一項に記載の昇華転写用インクを中間転写媒体に付与するインク付与工程と、
前記昇華転写用インクが付与された前記中間転写媒体を、被染色物と対向させた状態で加熱し、前記昇華転写用インクを構成する昇華性染料を前記被染色物に転写させる転写工程とを有することを特徴とする染色物の製造方法。
【請求項７】
前記転写工程での加熱温度が１６０℃以上２２０℃以下である請求項６に記載の染色物の製造方法。
【請求項８】
請求項１ないし５のいずれか一項に記載の昇華転写用インクを用いて製造されたことを特徴とする染色物。
【発明の詳細な説明】
【技術分野】
【０００１】
本発明は、昇華転写用インク、染色物の製造方法および染色物に関するものである。
【背景技術】
【０００２】
昇華転写を利用した布帛等に対する染色が、広く行われている。このような昇華転写を利用した染色方法としては、紙等のシート状の中間転写媒体にインクジェット方式による印刷を行った後、布帛等の被染色物に前記中間媒体を重ねて、加熱により昇華転写する方法や、例えば、剥離可能なインク受容層が設けられた被染色物（フィルム製品等）の前記インク受容層にインクジェット印刷を行い、その後、そのまま加熱して下層側の被染色物に昇華拡散染色を行い、さらにその後、インク受容層を剥離する方法等があり、これらの染色方法には、昇華性染料を含むインク（昇華転写用インク）が用いられている。
【０００３】
昇華転写用インクは、一般に、昇華性染料に加え水を含むものであるが、さらに、インクジェットヘッドのノズルの目詰まり防止、吐出安定性の確保等のために、グリセリンを含むものが広く用いられている（例えば、特許文献１参照）。
昇華転写を利用した染色方法では加熱を行うため、水とともにグリセリンが蒸発する。しかし、グリセリンは沸点が高いため、いったん蒸発したグリセリンは、短時間で凝縮点にまで温度が低下するため煙状の蒸気を生じることとなる。このような煙状の蒸気が発生することにより、作業者の視界が遮られ、染色物の生産性を著しく低下させる等、作業環境への悪影響が大きい。
【先行技術文献】
【特許文献】
【０００４】
【特許文献１】国際公開第２００５／１２１２６３号パンフレット
【発明の概要】
【発明が解決しようとする課題】
【０００５】
本発明の目的は、インクジェット法による吐出安定性に優れ、加熱時において煙状の蒸気が発生しにくい昇華転写用インクを提供すること、生産性良く染色物を製造することができる昇華転写用インクを用いた染色物の製造方法を提供すること、また、前記方法を用いて製造される染色物を提供することにある。
【課題を解決するための手段】
【０００６】
このような目的は、下記の本発明により達成される。
本発明の昇華転写用インクは、インクジェット法を用いて吐出されるものであって、
水と、
昇華性染料と、
トレハロース類とを含み、
沸点が２００℃以上の溶剤の含有率が４．０質量％以下であることを特徴とする。
これにより、インクジェット法による吐出安定性に優れ、加熱時において煙状の蒸気が発生しにくい（スモーク抑制効果に優れた）昇華転写用インクを提供することができる。
【０００７】
本発明の昇華転写用インクは、前記トレハロース類としてトレハロースを含むものであることが好ましい。
これにより、インクジェットヘッドの保湿性、昇華転写用インクの吐出安定性等を優れたものとしつつ、吐出・乾燥後の画像の安定性を特に優れたものとすることができる。また、トレハロースは、乾燥による変性を特に生じにくいという特性を有している。したがって、染色物の生産性を特に優れたものとしつつ、製造される染色物の信頼性を特に優れたものとすることができる。
【０００８】
本発明の昇華転写用インクでは、昇華転写用インク中における前記トレハロース類の含有率が、３質量％以上２０質量％以下であることが好ましい。
これにより、昇華転写用インクのスモーク抑制効果を優れたものとしつつ、昇華転写用インクの吐出安定性を優れたものとし、さらに、昇華転写の条件（加熱条件）をより温和なものとすることができ、染色物の生産性を特に優れたものとすることができる。また、省エネルギーの観点からも有利である。
【００１０】
本発明の昇華転写用インクでは、昇華転写用インク中における前記プロピレングリコールの含有率が、０．１質量％以上１０質量％以下であることが好ましい。
これにより、煙状の蒸気の発生をより効果的に防止しつつ、保湿性を特に優れたものとすることができる。その結果、昇華転写用インクを用いて製造される染色物の信頼性をさらに優れたものとすることができる。
【００１１】
本発明の染色物の製造方法は、インクジェット法を用いて、本発明の昇華転写用インクを中間転写媒体に付与するインク付与工程と、
前記昇華転写用インクが付与された前記中間転写媒体を、被染色物と対向させた状態で加熱し、前記昇華転写用インクを構成する昇華性染料を前記被染色物に転写させる転写工程とを有することを特徴とする。
これにより、生産性良く染色物を製造することができる、昇華転写用インクを用いた染色物の製造方法を提供することができる。
【００１２】
本発明の染色物の製造方法では、前記転写工程での加熱温度が１６０℃以上２２０℃以下であることが好ましい。
これにより、転写に要するエネルギーをより少なくすることができ、染色物の生産性を特に優れたものとすることができる。また、製造される染色物の信頼性を特に優れたものとすることができる。
本発明の染色物は、本発明の昇華転写用インクを用いて製造されたことを特徴とする。
これにより、昇華転写による信頼性の高い染色物を提供することにある。
【発明を実施するための形態】
【００１３】
以下、本発明の好適な実施形態について、詳細に説明する。
≪昇華転写用インク≫
まず、本発明の昇華転写用インクについて説明する。
ところで、昇華転写を利用した布帛等に対する染色が、広く行われている。このような昇華転写を利用した染色方法としては、紙等のシート状の中間転写媒体にインクジェット方式による印刷を行った後、布帛等の被染色物に前記中間媒体を重ねて、加熱により昇華転写する方法や、例えば、剥離可能なインク受容層が設けられた被染色物（フィルム製品等）の前記インク受容層にインクジェット印刷を行い、そのまま加熱して下層側の被染色物に昇華拡散染色を行い、その後、インク受容層を剥離する方法等があり、これらの染色方法には、昇華性染料を含むインク（昇華転写用インク）が用いられている。
【００１４】
昇華転写用インクは、一般に、昇華性染料に加え水を含むものであるが、さらに、インクジェットヘッドのノズルの目詰まり防止、吐出安定性の確保等のために、グリセリンを含むものが広く用いられている。
昇華転写を利用した染色方法では加熱を行うため、水とともにグリセリンが蒸発する。しかし、グリセリンは沸点が高いため、いったん蒸発したグリセリンは、短時間で凝縮点にまで温度が低下するため煙状の蒸気を生じることとなる。このような煙状の蒸気が発生することにより、作業者の視界が遮られ、染色物の生産性を著しく低下させる等、作業環境への悪影響が大きい。
【００１５】
そこで、本発明者は、上記のような問題の発生を防止する目的で、鋭意研究を行った。その結果、以下に詳述するような本発明に至った。
すなわち、本発明の昇華転写用インクは、インクジェット法を用いて吐出されるものであって、水と、昇華性染料と、トレハロース類とを含むことを特徴とする。これにより、上記のような問題の発生を確実に防止することができる。すなわち、インクジェット法による吐出安定性に優れ、加熱時において煙状の蒸気が発生しにくい（スモーク抑制効果に優れた）昇華転写用インクを提供することができる。
【００１６】
以下、本発明の昇華転写用インクを構成する各成分について説明する。
＜水＞
本発明の昇華転写用インクは、水を含むものである。
水は、後に詳述する昇華性染料を分散させる分散媒、トレハロース類を溶解させる溶媒として機能するものである。
【００１７】
このように、昇華転写用インクが水を含むことにより、昇華転写用インクの粘度、表面張力が、好ましい範囲に含まれるように好適に調整することができ、昇華転写用インクのインクジェット方式による吐出性を優れたものとすることができる。また、水は、インクジェット方式による吐出後に容易に除去することのできる成分であるため、染色物の生産性を高めるうえでも重要である。また、水は、人体等に対する安全性が極めて高い物質であるため、染色物の製造において、作業者の安全を確保する上でも重要である。
昇華転写用インク中における水の含有率は、特に限定されないが、５０質量％以上９０質量％以下であるのが好ましく、５５質量％以上７０質量％以下であるのがより好ましい。
【００１８】
＜昇華性染料＞
昇華性染料は、加熱により昇華する性質を有する染料である。
昇華性染料としては、上記のような性質を有する分散染料、溶剤染料等を用いることができる。このような染料の具体例としては、Ｃ．Ｉ．ディスパースイエロー３、７、８、２３、３９、５１、５４、６０、７１、８６；Ｃ．Ｉ．ディスパースオレンジ１、１：１、５、２０、２５、２５：１、３３、５６、７６；Ｃ．Ｉ．ディスパースブラウン２；Ｃ．Ｉ．ディスパースレッド１１、５０、５３、５５、５５：１、５９、６０、６５、７０、７５、９３、１４６、１５８、１９０、１９０：１、２０７、２３９、２４０；Ｃ．Ｉ．バットレッド４１；Ｃ．Ｉ．ディスパースバイオレット８、１７、２３、２７、２８、２９、３６、５７；Ｃ．Ｉ．ディスパースブルー１９、２６、２６：１、３５、５５、５６、５８、６４、６４：１、７２、７２：１、８１、８１：１、９１、９５、１０８、１３１、１４１、１４５、３５９；Ｃ．Ｉ．ソルベントブルー３６、６３、１０５、１１１等が挙げられる。これらは、単独で用いてもよいし２種類以上を併用してもよい。
【００１９】
中でも、昇華転写用インクの保存安定性の観点からは、Ｃ．Ｉ．ディスパースイエロー３、７、８、２３、５１、５４、６０、７１、８６；Ｃ．Ｉ．ディスパースオレンジ２０、２５、２５：１、５６、７６；Ｃ．Ｉ．ディスパースブラウン２；Ｃ．Ｉ．ディスパースレッド１１、５３、５５、５５：１、５９、６０、６５、７０、７５、１４６、１９０、１９０：１、２０７、２３９、２４０；Ｃ．Ｉ．バットレッド４１；Ｃ．Ｉ．ディスパースバイオレット８、１７、２３、２７、２８、２９、３６、５７；Ｃ．Ｉ．ディスパースブルー２６、２６：１、５５、５６、５８、６４、６４：１、７２、７２：１、８１、８１：１、９１、９５、１０８、１３１、１４１、１４５、３５９；Ｃ．Ｉ．ソルベントブルー３６、６３、１０５、１１１等がより好ましい。
【００２０】
＜トレハロース類＞
上記のように、本発明の昇華転写用インクは、トレハロース類を含むものである。これにより、昇華転写用インクのインクジェット法による吐出安定性を優れたものとしつつ、加熱時による煙状の蒸気の発生を効果的に防止することができる。なお、本発明において、トレハロース類とは、２分子のグルコース同士が還元性基同士で結合した二糖類のことをいい、α，α−トレハロース（Ｏ−α−Ｄ−グルコピラノシル α−Ｄ−グルコピラノシド。以下、「トレハロース」という）、α，β−トレハロース（以下、「ネオトレハロース」という）、および、β，β−トレハロース（以下、「イソトレハロース」という）の３種類の光学異性体が存在する。
【００２１】
このようなトレハロース類を含む昇華転写用インクは、インクジェット法において、種々の記録媒体（中間転写媒体等）に好適に適用することができる。記録媒体上に付着された昇華転写用インクに含まれるレハロース類は、水に対する高い溶解性と高い保水力を有するので、記録媒体の変形（カール等）を好適に防止することができる。また、記録媒体に付着させる昇華転写用インクのｄｕｔｙ制限値が増加するために印刷物の色再現領域（色域）が向上する。
【００２２】
また、トレハロース類を含む昇華転写用インクを用いて得られた記録物は、多湿環境（例えば、２０℃、相対湿度６０％程度の環境）における耐結露性を向上できる。
また、トレハロース類を含む昇華転写用インクは、特にヘッドをキャッピングした環境下での目詰まり回復性を向上できる。理由は定かではないが、吸湿性が低いので、キャップ内に滞留している昇華転写用インクが、ヘッドに充填されている昇華転写用インクから水分を奪うことがないので、キャップで密閉されている状態での目詰まり回復性に優れると考えられる。
【００２３】
さらに、トレハロース類を含む昇華転写用インクは、氷結晶の成長を防止することから、昇華転写用インクの低温保存安定性が向上する。
トレハロースは、グルコースの１位同士がグルコシド結合をした非還元性の二糖類である。非還元糖であり、メイラード反応による褐色変化が起きないことから、昇華転写を行う転写工程（加熱工程）での画像の劣化を抑制するだけでなく、昇華転写用インクの保存安定性の観点から特に好ましい。また、水への溶解度および保水力が特に高い一方で、吸湿性が極めて低いという特有の性質を有する。具体的には、高純度のトレハロース無水物は、水への溶解度（６９ｇ／１００ｇ（２０℃））は非常に高いが、湿度が９５％以下では吸湿性を示さない。したがって、トレハロースが水に接触した場合は、水を吸収するが、通常の環境（２０℃、湿度が４５％程度）では吸湿性を示さないために安定に存在することができる。このため、インクジェットヘッドの保湿性、昇華転写用インクの吐出安定性等を優れたものとしつつ、吐出・乾燥後の画像の安定性を特に優れたものとすることができる。また、トレハロースは、乾燥による変性を特に生じにくいという特性を有している。したがって、染色物の生産性を特に優れたものとしつつ、製造される染色物の信頼性を特に優れたものとすることができる。
【００２４】
昇華転写用インク中におけるトレハロース類の含有率は、３質量％以上２０質量％以下であるのが好ましく、３質量％以上１８質量％以下であるのがより好ましい。これにより、昇華転写用インクのスモーク抑制効果を優れたものとしつつ、昇華転写用インクの吐出安定性を優れたものとし、さらに、昇華転写の条件（加熱条件）をより温和なものとすることができ、染色物の生産性を特に優れたものとすることができる。また、省エネルギーの観点からも有利である。なお、昇華転写用インクがトレハロース類として複数種の化合物を含むものである場合、トレハロース類の含有率としては、これらの化合物の含有率の総和が前記範囲内の値であるのが好ましい。
【００２５】
＜プロピレングリコール＞
本発明の昇華転写用インクは、プロピレングリコールをさらに含むものであるのが好ましい。プロピレングリコールは、沸点が２００℃以下である多価アルコールであるため、保湿性を特に優れたものとすることができ、昇華転写用インクの吐出安定性を特に優れたものとすることができる。
【００２６】
昇華転写用インク中におけるプロピレングリコールの含有率は、０．１質量％以上１０質量％以下であるのが好ましく、１質量％以上３質量％以下であるのがより好ましい。これにより、煙状の蒸気の発生をより効果的に防止しつつ、保湿性を特に優れたものとすることができる。その結果、昇華転写用インクを用いて製造される染色物の信頼性をさらに優れたものとすることができる。
【００２７】
＜溶剤＞
本発明の昇華転写用インクは、上記した成分に加え、溶剤を含むものであってもよい。溶剤としては、例えば、トレハロース類以外のポリオール化合物、グリコールエーテル等が挙げられる。トレハロース類以外のポリオール化合物としては、例えば、分子内の炭素数が２以上６以下であり、かつ、分子内にエーテル結合を１つ有してもよいポリオール化合物（好ましくはジオール化合物）等が挙げられる。具体例としては、グリセリン、エチレングリコール、ジエチレングリコール、トリエチレングリコール、プロピレングリコール、ジプロピレングリコール、１，３−プロパンジオール、１，２−ブタンジオール、１，３−ブタンジオール、１，４−ブタンジオール、２，３−ブタンジオール、３−メチル−１，３−ブタンジオール、１，２−ペンタンジオール、１，５−ペンタンジオール、２−メチル−２，４−ペンタンジオール、３−メチル−１，５−ペンタンジオール、１，２−ヘキサンジオール、１，６−ヘキサンジオール等が挙げられる。
【００２８】
本発明の昇華転写用インクは、グリコールエーテルを含むものであってもよい。グリコールエーテルとしては、例えば、エチレングリコール、ジエチレングリコール、トリエチレングリコール、プロピレングリコール、ジプロピレングリコール及びトリプロピレングリコールから選択されるグリコールのモノアルキルエーテルが好ましい。より具体的には、トリエチレングリコールモノメチルエーテル、トリエチレングリコールモノブチルエーテル、ジプロピレングリコールモノプロピルエーテル等が好ましく例示できる。
ただし、本発明では、昇華転写用インク中における、沸点が２００℃以上の溶剤の含有率は、３質量％以下であるのが好ましく、１質量％以下であるのがより好ましい。これにより、加熱時における煙状の蒸気の発生をより効果的に防止することができる。
【００２９】
＜その他の成分＞
本発明の昇華転写用インクは、上述した以外の成分（その他の成分）を含むものであってもよい。このような成分としては、例えば、分散剤、防腐防黴剤、ｐＨ調整剤、キレート試薬、防錆剤、紫外線吸収剤、消泡剤、表面張力調整剤、ポリシロキサン化合物、トレハロース類以外のポリオール化合物等が挙げられる。
【００３０】
昇華転写用インクが分散剤を含むことにより、昇華転写用インクにおける昇華性染料の分散安定性を特に優れたものとすることができ、昇華転写用インクの保存安定性、昇華転写用インクの長期にわたる吐出安定性等を特に優れたものとすることができる。また、昇華転写用インクを用いて製造される染色物の信頼性を特に優れたものとすることができる。
【００３１】
分散剤は、特に限定されないが、アニオン系分散剤、ノニオン系分散剤、高分子分散剤が挙げられる。
アニオン系分散剤としては、芳香族スルホン酸のホルマリン縮合物が好ましく挙げられる。
芳香族スルホン酸のホルマリン縮合物における「芳香族スルホン酸」としては、例えば、クレオソート油スルホン酸、クレゾールスルホン酸、フェノールスルホン酸、β−ナフトールスルホン酸、メチルナフタレンスルホン酸、ブチルナフタレンスルホン酸等のアルキルナフタレンスルホン酸、β−ナフタレンスルホン酸とβ−ナフトールスルホン酸との混合物、クレゾールスルホン酸と２−ナフトール−６−スルホン酸との混合物、リグニンスルホン酸等が挙げられる。
【００３２】
また、アニオン系分散剤としては、β−ナフタレンスルホン酸のホルマリン縮合物、アルキルナフタレンスルホン酸のホルマリン縮合物、および、クレオソート油スルホン酸のホルマリン縮合物が好ましい。
ノニオン系分散剤としては、フィトステロールのエチレンオキサイド付加物、コレスタノールのエチレンオキサイド付加物等が挙げられる。
本明細書において「フィトステロール」とは、フィトステロールおよび水添フィトステロールの両者を含む意味である。例えば、フィトステロール類のエチレンオキサイド付加物としては、フィトステロールのエチレンオキサイド付加物、水素添加フィトステロールのエチレンオキサイド付加物等が挙げられる。
【００３３】
同様に、本明細書において「コレスタノール」とは、コレスタノール、および、水素添加コレスタノールの両者を含む意味である。例えば、コレスタノールのエチレンオキサイド（ＥＯ）付加物としては、コレスタノールのエチレンオキサイド付加物、水素添加コレスタノールのエチレンオキサイド付加物等が挙げられる。フィトステロールまたはコレスタノール１モルあたりのエチレンオキサイド付加量は１０モル以上５０モル以下で、ＨＬＢが１３以上２０以下のものが好ましい。
また、高分子分散剤としては、ポリアクリル酸部分アルキルエステル、ポリアルキレンポリアミン、ポリアクリル酸塩、スチレン−アクリル酸共重合物、ビニルナフタレン−マレイン酸共重合物等が挙げられる。
【００３４】
防腐防黴剤としては、例えば、有機硫黄系、有機窒素硫黄系、有機ハロゲン系、ハロアリルスルホン系、ヨードプロパギル系、Ｎ−ハロアルキルチオ系、ベンゾチアゾール系、ニトリル系、ピリジン系、８−オキシキノリン系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。有機ハロゲン系化合物としては、例えば、ペンタクロロフェノールナトリウム等が挙げられ、ピリジンオキシド系化合物としては、例えば、ソジウムピリジンチオン−１−オキサイド、ジンクピリジンチオン−１−オキサイド等が挙げられ、イソチアゾリン系化合物としては、例えば、１−ベンズイソチアゾリン−３−オンのアミン塩、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤としては、デヒドロ酢酸ナトリウム、ソルビン酸ナトリウム、安息香酸ナトリウム等が挙げられる。
【００３５】
昇華転写用インクがｐＨ調整剤を含むことにより、昇華転写用インクの保存安定性等を特に優れたものとすることができる。また、昇華転写用インクを用いて製造される染色物の信頼性を特に優れたものとすることができる。
ｐＨ調整剤としては、例えば、昇華転写用インクのｐＨを６．０以上１１．０以下の範囲に制御できるものを好適に用いることができる。このようなｐＨ調整剤としては、例えば、ジエタノールアミン、トリエタノールアミン、ジメチルエタノールアミン、ジエチルエタノールアミン等のアルカノールアミン；水酸化リチウム、水酸化ナトリウム、水酸化カリウム、水酸化リチウム等のアルカリ金属の水酸化物；水酸化アンモニウム；炭酸リチウム、炭酸ナトリウム、炭酸カリウム等のアルカリ金属の炭酸塩；タウリン等のアミノスルホン酸等が挙げられる。
【００３６】
キレート試薬としては、例えば、エチレンジアミン四酢酸２ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト、ベンゾトリアゾール系化合物等が挙げられる。
【００３７】
紫外線吸収剤としては、例えば、ベンゾフェノン系化合物、桂皮酸系化合物、トリアジン系化合物、スチルベン系化合物、いわゆる蛍光増白剤（ベンズオキサゾール系化合物に代表される紫外線を吸収して蛍光を発する化合物）等が挙げられる。
消泡剤としては、例えば、高酸化油系化合物、グリセリン脂肪酸エステル系化合物、フッ素系化合物、シリコーン系化合物、アセチレン系化合物等が挙げられる。
【００３８】
表面張力調整剤としては、界面活性剤が挙げられ、例えば、アニオン系界面活性剤、両性界面活性剤、カチオン系界面活性剤、ノニオン系界面活性剤等が挙げられる。
アニオン系界面活性剤としては、例えば、アルキルスルホカルボン酸塩、α−オレフィンスルホン酸塩、ポリオキシエチレンアルキルエーテル酢酸塩、Ｎ−アシルアミノ酸およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸塩、ジオクチルスルホ琥珀酸塩等が挙げられる。
【００３９】
両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体等が挙げられる。
カチオン系界面活性剤としては、例えば、２−ビニルピリジン誘導体、ポリ４−ビニルピリジン誘導体等が挙げられる。
【００４０】
ノニオン系界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系界面活性剤；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系界面活性剤；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系界面活性剤等が挙げられる。
【００４１】
昇華転写用インクがポリシロキサン化合物を含むことにより、インクジェット方式による液滴吐出の吐出応答性を向上させることができる。ポリシロキサン化合物としては、例えば、ポリエーテル変性シロキサン、ポリエーテル変性ポリジメチルシロキサン等が挙げられる。
なお、本発明の昇華転写用インクの表面張力（２５℃における表面張力）は、２０ｍＮ／ｍ以上５０ｍＮ／ｍ以下であるのが好ましく、２５ｍＮ／ｍ以上４０ｍＮ／ｍ以下であるのがより好ましい。なお、昇華転写用インクの表面張力は、例えば、表面張力計ＣＢＶＰ−Ａ３（協和界面科学株式会社製）を用いた、ＪＩＳ  Ｋ３３６２に準拠した測定により求めることができる。
【００４２】
また、本発明の昇華転写用インクの粘度（２５℃における粘度）は、２ｍＰａ・ｓ以上２０ｍＰａ・ｓ以下であるのが好ましい。これにより、昇華転写用インクの吐出安定性（吐出量の安定性、液滴の飛行特性等）、吐出応答性（応答速度、高周波対応性（周波数特性）等）等を特に優れたものとすることができる。なお、昇華転写用インクの粘度は、振動式粘度計を用いた、ＪＩＳ  Ｚ８８０９に準拠した測定により求めることができる。
【００４３】
≪染色物の製造方法≫
次に、本発明の染色物の製造方法について説明する。
本発明の染色物の製造方法は、インクジェット法を用いて、上述したような本発明の昇華転写用インクを中間転写媒体に付与するインク付与工程（１ａ）と、前記昇華転写用インクが付与された前記中間転写媒体を、被染色物と対向させた状態で加熱し、前記昇華転写用インクを構成する昇華性染料を前記被染色物に転写させる転写工程（１ｂ）とを有する。これにより、生産性良く染色物を製造することができる、昇華転写用インクを用いた染色物の製造方法を提供することができる。
【００４４】
以下、各工程について詳細に説明する。
＜インク付与工程＞
本工程では、インクジェット法を用いて、本発明の昇華転写用インクを中間転写媒体に付与する（１ａ）。
インクジェット法による昇華転写用インクの吐出は、公知の液滴吐出装置を用いて行うことができる。
【００４５】
液滴吐出方式（インクジェット法の方式）としては、ピエゾ方式や、インクを加熱して発生した泡（バブル）によりインクを吐出させる方式等を用いることができるが、昇華転写用インクの変質のし難さ等の観点から、ピエゾ方式が好ましい。
中間転写媒体としては、例えば、普通紙等の紙、インク受容層が設けられた記録媒体（インクジェット用専用紙、コート紙等で呼称される）等を用いることができるが、シリカ等の無機微粒子でインク受容層が設けられた紙が好ましい。これにより、中間転写媒体に付与した昇華転写用インクが乾燥する過程で、滲み等が抑制された中間記録物を得ることができ、また、後の転写工程においては、昇華性染料の昇華がより円滑に進行する。
本工程では、複数種のインクを用いてもよい。これにより、例えば、表現することのできる色域をより広いものとすることができる。
【００４６】
＜転写工程＞
その後、昇華転写用インクが付与された中間転写媒体を、被染色物と対向させた状態で加熱し、昇華転写用インクを構成する昇華性染料を被染色物に転写させる（１ｂ）。これにより、染色物が得られる。
本工程での加熱温度は、１６０℃以上２２０℃以下であるのが好ましく、１７０℃以上２００℃以下であるのがより好ましい。これにより、転写に要するエネルギーをより少なくすることができ、染色物の生産性を特に優れたものとすることができる。また、製造される染色物の信頼性を特に優れたものとすることができる。
【００４７】
本工程での加熱時間は、加熱温度にもよるが、３０秒以上９０秒以下であるのが好ましく、４５秒以上６０秒以下であるのがより好ましい。これにより、転写に要するエネルギーをより少なくすることができ、染色物の生産性を特に優れたものとすることができる。また、製造される染色物の信頼性を特に優れたものとすることができる。
また、本工程は、昇華転写用インクが付与された中間転写媒体を、被染色物と対向させた状態で加熱することにより行えばよいが、前記中間転写媒体と被染色物とを密着させた状態で加熱することにより行うのが好ましい。これにより、転写に要するエネルギーをより少なくすることができ、染色物の生産性を特に優れたものとすることができる。また、製造される染色物の信頼性を特に優れたものとすることができる。
【００４８】
被染色物としては、いかなるものを用いてもよく、例えば、布帛（疎水性繊維布帛等）、樹脂（プラスチック）フィルム、紙等のシート状の物が好適に用いられるが、シート状以外の球状、直方体形状等の立体的な形状を有する物を用いてもよい。
また、被染色物としては、例えば、樹脂、プラスチック、紙等で構成されたもののほか、ガラス、金属、陶磁器を用いてもよい。
【００４９】
被染色物を構成する繊維としては、例えば、ポリエステル繊維、ナイロン繊維、トリアセテート繊維、ジアセテート繊維、ポリアミド繊維およびこれらの繊維を２種以上用いた混紡品等が挙げられる。また、これらとレーヨン等の再生繊維あるいは木綿、絹、羊毛等の天然繊維との混紡品を用いてもよい。
また、被染色物としての樹脂（プラスチック）フィルムとしては、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。樹脂（プラスチック）フィルムは、複数の層が積層された積層体であってもよいし、材料の組成が傾斜的に変化する傾斜材料で構成されたものであってもよい。
【００５０】
≪染色物≫
次に、本発明の染色物について説明する。
本発明の染色物は、上述したような本発明の昇華転写用インクを用いて製造されたものである。これにより、昇華転写による信頼性の高い染色物を提供することにある。
本発明の染色物の用途は、いかなるものであってもよく、例えば、Ｔシャツ、トレーナー等の衣料品、のぼり旗等が挙げられる。
【００５１】
以上、本発明について、好適な実施形態に基づいて説明したが、本発明はこれらに限定されるものではない。
例えば、本発明の製造方法では、上述したような工程に加え、さらに他の工程（前処理工程、中間処理工程、後処理工程）を有するものであってもよい。
また、前述した実施形態では、染色物がインクジェット法を用いて、本発明に係る昇華転写用インクを中間転写媒体に付与するインク付与工程と、前記昇華転写用インクが付与された前記中間転写媒体を、被染色物と対向させた状態で加熱し、前記昇華転写用インクを構成する昇華性染料を前記被染色物に転写させる転写工程とを有する方法を用いて製造される場合について代表的に説明したが、本発明の染色物は、このような方法を用いて製造されたものに限定されない。例えば、本発明の染色物は、剥離可能なインク受容層が設けられた被染色物（フィルム製品等）の前記インク受容層に、インクジェット法により本発明に係る昇華転写用インクを付与し、その後、そのまま加熱して下層側の被染色物に昇華拡散染色を行い、さらにその後、インク受容層を剥離する方法を用いて製造されたものであってもよい。
【００５２】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
本発明は、例えば、中間転写媒体を用いない昇華転写においても好適に使用できる。中間転写媒体を用いない昇華転写とは、インクジェット法を用いて布帛に直接付着させ、その後、加熱工程を行うことで捺染物を得る方法である。なお、この場合であっても、スモーク抑制効果に優れることは言うまでもない。
【実施例】
【００５３】
［１］昇華転写用インクの製造
以下のようにして、昇華転写用インクを製造した。
（実施例１）
まず、昇華性染料としてのＣ．Ｉ．ディスパースイエロー５４と、高分子分散剤としてのスチレン−アクリル酸共重合物と、イオン交換水とからなる混合物を、０．２ｍｍ径ガラスビーズを用いてサンドミルにて、冷却下、約１５時間分散化処理を行った。分散処理後、イオン交換水を加えて希釈し、次いで、該分散液をガラス繊維濾紙ＧＣ−５０（東洋濾紙株式会社製、フィルターの孔径０．５μｍ）で濾過し、粒子サイズの大きい成分を除去した水性分散液を得た。
次に、上記のようにして得られた水性分散液と、トレハロースと、トリエチレングリコールモノメチルエーテルと、イオン交換水とを所定の割合で混合することにより、昇華転写用インクを得た。
【００５４】
（実施例２〜９）
昇華転写用インクの調製に用いる成分の種類、使用量を調整することにより、表１に示すような組成となるようにした以外は、前記実施例１と同様にして昇華転写用インクを製造した。
（比較例１〜５）
昇華転写用インクの調製に用いる成分の種類、使用量を調整することにより、表１に示すような組成となるようにした以外は、前記実施例１と同様にして昇華転写用インクを製造した。
前記各実施例および各比較例の昇華転写用インクの組成等を表１にまとめて示す。
【００５５】
なお、表中、Ｃ．Ｉ．ディスパースイエロー５４（昇華性染料）を「ＤＹ５４」、トレハロースを「ＴＲ」、イソトレハロースを「ＩＴＲ」、ネオトレハロースを「ＮＴＲ」、トリエチレングリコールモノメチルエーテルを「ＴＥＧＭＭＥ」、スチレン−アクリル酸共重合物（高分子分散剤）を「ＳＡ」、プロピレングリコールを「ＰＧ」、グリセリンを「ＧＬ」、Ｄ−ソルビトールを「ＳＯ」、キシリトールを「ＸＹ」、マルチトールを「ＭＡ」で示した。
【００５６】
また、本発明の昇華転写用インクについての２５℃における表面張力（表面張力計ＣＢＶＰ−Ａ３（協和界面科学株式会社製）を用いた、ＪＩＳ  Ｋ３３６２に準拠した測定により求められた表面張力）は、いずれも、２５ｍＮ／ｍ以上４０ｍＮ／ｍ以下の範囲に含まれるものであった。また、本発明の昇華転写用インクについての２５℃における粘度（振動式粘度計を用いた、ＪＩＳ  Ｚ８８０９に準拠した測定により求められた粘度）は、いずれも、２ｍＰａ・ｓ以上２０ｍＰａ・ｓ以下の範囲に含まれるものであった。
【００５７】
【表１】
0005874423.tif 000002
【００５８】
［２］昇華転写用インクの目詰まり回復性（吐出安定性）
前記各実施例および比較例の昇華転写用インクを用いて、下記に示すような試験による評価を行った。
まず、チャンバー（サーマルチャンバー）内に設置した液滴吐出装置および前記各実施例および比較例の昇華転写用インクを用意した。
次に、印字解像度７２０×７２０ｄｐｉ、単色・塗りつぶし印刷、印字幅１２００ｍｍの条件で、３０分連続運転を行った。
【００５９】
その後、そのまま４８時間放置し、通常のクリーニングの後、同条件にて正常に印字ができるか再度印字テストを行い、以下の基準に従い、評価した。
Ａ：クリーニング３回以内で、正常な印刷が可能であった。
Ｂ：クリーニング４回以上１０回未満で目詰まりから回復し、正常な印刷が可能であ
った。
Ｃ：クリーニングを１０回以上実施しても目詰まり回復しなかった。
【００６０】
［３］染色物の製造
以下のようにして、各実施例および比較例の昇華転写用インクを用いて、染色物を製造した。
まず、昇華転写用インクをインクジェット装置に投入した。
その後、シリカを含む材料で構成されたインク受容層を備えた紙を中間転写媒体として用意し、当該中間転写媒体のインク受容層に、所定のパターンで昇華転写用インクを吐出した（インク付与工程）。
その後、昇華転写用インクが付与された中間転写媒体のインク受容層を、ポリエステル繊維で構成された布帛（被染色物）と密着させ、この状態で、太陽精機株式会社製ヒートプレス機ＴＰ−６０８Ｍを用いて２００℃×６０秒の条件で加熱し、昇華転写を行った（転写工程）。これにより染色物を得た。
【００６１】
［４］染色物の製造時における煙状の蒸気（スモーク）の発生状況
上記［３］の転写工程での煙状の蒸気（スモーク）の発生状況を、以下の基準に従い評価した。
Ａ：煙状の蒸気（スモーク）の発生がほとんど認められない。
Ｂ：煙状の蒸気（スモーク）の発生が認められるものの、５秒以内に発生が収まる。
Ｃ：煙状の蒸気（スモーク）の発生が認められ、５秒を超えて発生し続ける。
【００６２】
［５］外観評価
上記［３］で製造された染色物を目視により観察し、形成された染色部について、以下の基準に従い評価した。
Ａ：設計通りのパターンで形成されている。
Ｂ：設計からのずれ（にじみによるカラーブリード、又は、文字もしくは罫線のずれ
）が確認される。
これらの結果を表２に示す。
【００６３】
【表２】
0005874423.tif 000003
【００６４】
表２から明らかなように、本発明の昇華転写用インクは、液滴の吐出安定性に優れていた。また、本発明では、染色物の製造時における煙状の蒸気（スモーク）の発生を効果的に防止し、染色物の生産環境をクリーンに保つことができ、作業性を優れたものとし、染色物の生産性を優れたものとすることができた。また、本発明では、所望の染色部を確実に形成することができ、染色物の信頼性は高いものであった。